(57)【要約】【課題】撮影後に最適な画像を選択する。【解決手段】シャッターボタンが押下されると（ステップＳ１；ＹＥＳ）、複数の撮影条件に基づいて撮影が行われる（ステップＳ２）。撮影された複数の画像データのうち予め定められた基本画像とその他の画像との差分が抽出され、差分画像が生成される（ステップＳ７）。そして、各差分画像に対して圧縮処理が行われる（ステップＳ８）。また、基本画像に対しても圧縮処理が行われる（ステップＳ９）。そして、圧縮された基本画像と、圧縮された差分画像とが１つのファイルに結合され（ステップＳ１０）、結合された画像ファイルが保存される（ステップＳ１１）。【選択図】図４
2006238311.tif 000002
【特許請求の範囲】
【請求項１】
複数の撮影条件を設定する設定手段と、
撮影を指示するための指示手段と、
前記指示手段からの撮影指示に従って、前記設定手段により設定された複数の撮影条件に基づいて撮影を行う撮影手段と、
前記撮影された複数の撮影画像データを記録する記録手段と、
を備えたことを特徴とする撮影装置。
【請求項２】
前記記録手段は、前記指示手段からの撮影指示に従って撮影された複数の撮影画像データを１つのファイルに記録することを特徴とする請求項１に記載の撮影装置。
【請求項３】
前記記録手段は、前記複数の撮影画像データのうち予め定められた基本画像以外の画像については、前記基本画像との差分を記録することを特徴とする請求項２に記載の撮影装置。
【請求項４】
前記基本画像及び前記基本画像との差分に基づいて、前記基本画像以外の画像を再生する再生手段を備えたことを特徴とする請求項３に記載の撮影装置。
【請求項５】
前記設定手段は、基本条件及び当該基本条件に対する補正量に基づいて、前記複数の撮影条件を設定することを特徴とする請求項１〜４のいずれか一項に記載の撮影装置。
【請求項６】
前記複数の撮影条件は、シャッター速度、絞り、露出又は撮影モードを含むことを特徴とする請求項１〜５のいずれか一項に記載の撮影装置。
【請求項７】
撮影装置を制御するコンピュータに、
複数の撮影条件を設定する機能と、
撮影手段に、撮影を指示するための撮影指示に従って、前記設定された複数の撮影条件に基づいて撮影を行わせる機能と、
前記撮影された複数の撮影画像データを記録手段に記録する機能と、
を実現させるためのプログラム。
【発明の詳細な説明】
【技術分野】
【０００１】
本発明は、複数の撮影条件に基づいて撮影を行う撮影装置及びプログラムに関する。
【背景技術】
【０００２】
近年、デジタルカメラ等の撮影装置は、高機能化、低価格化が進み、急速に普及しつつある。撮影装置により撮影を行う際には、シャッター速度、絞り等の撮影条件が設定される。また、最適な画像を得るために、自動アイリス制御、自動フォーカス制御及び自動ホワイト・バランス制御が行われる場合もある（例えば、特許文献１参照。）。
【特許文献１】特開平８−３３１５９２号公報
【発明の開示】
【発明が解決しようとする課題】
【０００３】
しかし、上記従来技術においては、撮影後に撮影した画像を修正することができない場合があった。例えば、シャッター速度、絞り等の撮影条件は撮影時にしか設定することができないため、撮影後の画像編集では修正することができなかった。
【０００４】
本発明は、上記の従来技術における問題に鑑みてなされたものであって、撮影後に最適な画像を選択し得る撮影装置及びプログラムを提供することを課題とする。
【課題を解決するための手段】
【０００５】
上記課題を解決するため、請求項１に記載の発明の撮影装置は、
複数の撮影条件を設定する設定手段と、
撮影を指示するための指示手段と、
前記指示手段からの撮影指示に従って、前記設定手段により設定された複数の撮影条件に基づいて撮影を行う撮影手段と、
前記撮影された複数の撮影画像データを記録する記録手段と、
を備えたことを特徴とする。
【０００６】
請求項７に記載の発明のプログラムは、
撮影装置を制御するコンピュータに、
複数の撮影条件を設定する機能と、
撮影手段に、撮影を指示するための撮影指示に従って、前記設定された複数の撮影条件に基づいて撮影を行わせる機能と、
前記撮影された複数の撮影画像データを記録手段に記録する機能と、
を実現させることを特徴とする。
【発明の効果】
【０００７】
請求項１に記載の発明によれば、指示手段からの撮影指示に従って、複数の撮影条件に基づいて撮影を行い、撮影された複数の撮影画像データを記録するので、撮影後に最適な画像を選択することができる。
【０００８】
請求項２に記載の発明によれば、指示手段からの撮影指示に従って撮影された複数の撮影画像データを１つのファイルに記録するので、ファイル管理を容易にすることができる。
【０００９】
請求項３に記載の発明によれば、複数の撮影画像データのうち予め定められた基本画像以外の画像については、基本画像との差分を記録するので、基本画像以外の画像をそのまま記録する場合と比較してファイルサイズを小さくすることができる。
【００１０】
請求項４に記載の発明によれば、記録時にはファイルサイズが小さいにもかかわらず、基本画像及び基本画像との差分に基づいて、基本画像以外の画像を再生することができる。
【００１１】
請求項５に記載の発明によれば、基本条件及び基本条件に対する補正量に基づいて、複数の撮影条件を設定することができる。
【００１２】
請求項６に記載の発明によれば、複数の撮影条件は、シャッター速度、絞り、露出又は撮影モードを含むので、撮影時にのみ設定可能な撮影条件を変化させて撮影を行うことができる。
【００１３】
請求項７に記載の発明によれば、撮影指示に従って、複数の撮影条件に基づいて撮影を行い、撮影された複数の撮影画像データを記録するので、撮影後に最適な画像を選択することができる。
【発明を実施するための最良の形態】
【００１４】
以下、図面を参照して、本発明の実施の形態におけるデジタルカメラ１０について詳細に説明する。
【００１５】
まず、構成を説明する。
図１は、デジタルカメラ１０の機能的構成を示すブロック図である。図１に示すように、デジタルカメラ１０は、ＣＰＵ（Central Processing Unit）１１、入力部１２、ＲＡＭ（Random Access Memory）１３、伝送制御部１４、表示部１５、撮像部１６、記録部１７、記録媒体駆動部１８等を備えて構成されており、各部はバス１９により接続されている。
【００１６】
ＣＰＵ１１は、記録部１７に記憶されているシステムプログラムを読み出し、ＲＡＭ１３内に形成されたワークエリアに展開し、該システムプログラムに従って各部を制御する。また、ＣＰＵ１１は、記録部１７に記憶されている各種処理プログラムを読み出してワークエリアに展開し、各種処理を実行する。
【００１７】
具体的に、ＣＰＵ１１は、入力部１２から入力される基本条件及び記録部１７に記憶されている撮影条件テーブル１７２に基づいて、複数の撮影条件を設定する。
【００１８】
また、ＣＰＵ１１は、シャッターボタンからの１回の撮影指示に従って、撮像部１６に、複数の撮影条件に基づいて撮影を行わせる。なお、図示はしていないが１回の撮影指示では半押しで焦点を合わせた後、完全に押した状態で撮影を行うようにしている。
【００１９】
また、ＣＰＵ１１は、１回の撮影指示により撮影された複数の画像データを１つのファイルとして記録部１７に記録する。その際、複数の画像データのうち予め定められた基本画像以外の画像については、基本画像との差分を記録する。
【００２０】
入力部１２は、電源ボタン、撮影を指示するためのシャッターボタン、撮影に関する各種設定ボタン等を備え、その各操作に応じた操作信号をＣＰＵ１１に出力する。
【００２１】
ＲＡＭ１３は、ＣＰＵ１１によって実行される各種プログラム及びこれらプログラムに係るデータを一時的に記憶するワークエリアを形成する。
【００２２】
伝送制御部１４は、通信用ケーブル等により外部の電子機器、例えば、パーソナルコンピュータ等と接続され、画像データ等の送受信を制御する。なお、外部機器との接続は、赤外線や無線等の無線接続であってもよい。
【００２３】
表示部１５は、ＬＣＤ（Liquid Crystal Display）等のモニタにより構成され、ＣＰＵ１１から入力される表示信号の指示に従って、撮影しようとする画像及び撮影された画像等を表示画面上に表示する。
【００２４】
図２は、撮像部１６の詳細構成を示す図である。ここで、図２を参照して撮像部１６について説明する。
撮像レンズ２１を通過した被写体像は、絞り機構２２を介してＣＣＤ（Charge Coupled Device）２３上に結像される。撮像レンズ２１及び絞り機構２２は、光学系駆動部２４によって、焦点合わせのためにレンズ位置が移動され、また、適切な露出となるように絞り量が制御される。この撮像レンズ２１の移動や絞り機構２２の絞りは、測距センサや光量センサを含むセンサ部２５によって検出された検出値がバス１９を介してＣＰＵ１１に出力され、ＣＰＵ１１で検出値に基づいて演算された撮像レンズ２１の移動量や絞り機構２２の絞り量を示す信号が光学系駆動部２４に出力されることによって駆動がなされるものである。
【００２５】
ＣＣＤ２３に被写体が結像されると、ＣＣＤ２３には入射光量に応じた電荷が蓄積され、この電荷は駆動回路２６から与えられる駆動パルス信号によって順次読み出され、アナログ処理回路２７に出力される。アナログ処理回路２７では、色分離やゲイン調整、ホワイトバランス等の各種処理が行われ、処理された信号はＡ／Ｄ変換回路２８を介してデジタル画像データ（以下、画像データという。）としてバッファレジスタ２９に記憶される。
【００２６】
バッファレジスタ２９に記憶された画像データは、ＣＰＵ１１からの制御信号に基づいて、信号処理回路３０において輝度信号及び色差信号に変換され、表示部１５に表示される。また、信号処理回路３０において処理された画像データは、ＣＰＵ１１からの制御信号に基づいて、圧縮伸張回路３１において圧縮され、バス１９を介して図１に示す記録部１７又は記録媒体１８ａに記録される。
【００２７】
図１に戻り、記録部１７は、フラッシュメモリ等の不揮発メモリ等により構成され、デジタルカメラ１０に対応するシステムプログラム、及び該システムプログラム上で実行可能な各種処理プログラム、アプリケーションプログラム及びこれらのプログラムで処理されたデータ等を記録する。また、記録部１７は、撮影された画像データを記録するための撮影画像記録領域１７１を有する。
【００２８】
また、記録部１７には、撮影条件テーブル１７２が記憶されている。図３に、撮影条件テーブル１７２の構成を示す。撮影条件テーブル１７２には、複数の撮影条件（条件１，条件２）について、絞り、シャッター速度等の項目毎に、基本条件に対する補正量がそれぞれ格納されている。例えば、条件１では、絞りは基本条件における設定値＋０．１に設定され、シャッター速度は基本条件における設定値＋０．０１に設定される。条件２では、絞りは基本条件における設定値−０．１に設定され、シャッター速度は基本条件における設定値−０．０１に設定される。基本条件に対する補正量は、増分・減分両方の値を含むことが望ましい。
【００２９】
記録媒体駆動部１８は、装着された記録媒体１８ａに対してデータを記録したり、既に記録されているデータを読み出して再生したりするための駆動回路である。装着される記録媒体１８ａとしては、スマートメディア（登録商標）、メモリースティック（登録商標）、コンパクトフラッシュ（登録商標）、ＳＤカード、ＰＣカード、ＩＣカード、ＭＯ（magneto-optic）等の各種カードを用いることができ、これらの各種カードのいずれか又は複数のカードに応じた記録媒体駆動部１８が設けられている。
【００３０】
次に、動作について説明する。
撮影時には、絞り、シャッター速度等の撮影条件について、入力部１２から基本条件が入力される。ただし、基本条件設定に対してユーザの操作が行われない場合には、予め設定されている標準的な条件が基本条件として設定される。ＣＰＵ１１により、基本条件及び撮影条件テーブル１７２に基づいて、複数の撮影条件が設定される。
【００３１】
図４は、デジタルカメラ１０のＣＰＵ１１により実行される撮影処理を示すフローチャートである。当該処理は、ＣＰＵ１１と記録部１７に記憶されている撮影処理プログラムとの協働によるソフトウエア処理により実現される処理である。
【００３２】
まず、シャッターボタンが押下されると（ステップＳ１；ＹＥＳ）、複数の撮影条件に基づいて撮像部１６により撮影が行われ、複数の画像データが取得される（ステップＳ２）。図５に、基本条件に基づいて撮影された基本画像（画像Ｂ）、撮影条件テーブル１７２の条件１，条件２を考慮して撮影された画像（画像Ａ，画像Ｃ）を示す。
【００３３】
次に、複数の撮影条件に基づいて撮影された各画像データに対して、ＣＣＤ２３の特性を補正するための１次画像処理が行われ、ＲＡＷデータが生成される（ステップＳ３）。
【００３４】
画像データをＲＡＷ形式で保存する場合には（ステップＳ４；ＹＥＳ）、このＲＡＷデータが記録部１７に保存される（ステップＳ５）。
【００３５】
画像データをＲＡＷ形式で保存しない場合には（ステップＳ４；ＮＯ）、各画像データに対して、さらに、圧縮した場合の見栄え等を改善するための２次画像処理が行われる（ステップＳ６）。
【００３６】
次に、２次画像処理後の基本画像（画像Ｂ）とその他の画像（画像Ａ，画像Ｃ）との差分が抽出され、差分画像（画像Ａ1，画像Ｃ1）が生成される（ステップＳ７）。そして、各差分画像に対して圧縮処理が行われる（ステップＳ８）。例えば、１ドット毎に濃度等の差分データが生成される場合、画像の背景のように変化の少ない部分は、撮影条件の違いによる差がほとんどないため、変化のないドットとして、どこからどこまでというように記録することにより圧縮を行うことができる。また、基本画像に対しても圧縮処理が行われる（ステップＳ９）。
【００３７】
次に、圧縮された基本画像と、圧縮された差分画像とが１つのファイルに結合され（ステップＳ１０）、結合された画像ファイルが記録部１７に保存される（ステップＳ１１）。
以上で、撮影処理が終了する。
【００３８】
図６に、基本画像と差分画像とが結合された画像ファイルのファイル形式を示す。例えば、汎用性の高いＪＰＥＧ（Joint Photographic coding Experts Group）形式等のファイル形式で保存することが望ましい。図６に示すように、基本画像以外の画像（画像Ａ1，画像Ｃ1）については、独自のタブ（データ識別子）で区切ることにより、一般的な画像表示ソフトでは画像データとしては扱われないようになっている。すなわち、一般的な画像表示ソフトでは、基本画像（画像Ｂ）のみが表示される。
【００３９】
次に、図７を参照して、デジタルカメラ１０のＣＰＵ１１により実行される画像表示処理を説明する。当該処理は、ＣＰＵ１１と記録部１７に記憶されている画像表示処理プログラムとの協働によるソフトウエア処理により実現される処理である。
【００４０】
まず、記録部１７に記憶されている結合された画像ファイルから差分画像（画像Ａ1，画像Ｃ1）が取得される（ステップＳ２１）。次に、基本画像（画像Ｂ）と差分画像（画像Ａ1，画像Ｃ1）とに基づいて、差分を抽出する処理の逆演算処理が行われ、画像Ａと画像Ｃが生成される（ステップＳ２２）。そして、画像Ａ，画像Ｂ，画像Ｃが表示部１５に再生表示される（ステップＳ２３）。
【００４１】
次に、表示されている画像に対して編集が行われる場合には（ステップＳ２４；ＹＥＳ）、編集処理が実行される（ステップＳ２５）。そして、編集された画像が別ファイルに保存され（ステップＳ２６）、ステップＳ２４に戻る。
【００４２】
表示されている画像に対して編集が行われず（ステップＳ２４；ＮＯ）、画像表示処理を終了する場合には（ステップＳ２７；ＹＥＳ）、処理が終了する。
【００４３】
ステップＳ２７において画像表示処理を終了せず（ステップＳ２７；ＮＯ）、基本画像を入れ替える場合には（ステップＳ２８；ＹＥＳ）、画像入替処理が行われる（ステップＳ２９）。
【００４４】
ここで、図８を参照して、画像入替処理について説明する。
まず、表示部１５に表示されている画像の中から基本画像と入れ替える画像（例えば、画像Ａ）が選択される（ステップＳ３１）。そして、圧縮されている各画像が復元される（ステップＳ３２）。
【００４５】
次に、選択された画像（例えば、画像Ａ）とその他の画像（例えば、画像Ｂ，画像Ｃ）との差分が抽出され、差分画像（画像Ｂ2，画像Ｃ2）が生成される（ステップＳ３３）。そして、各差分画像に対して圧縮処理が行われる（ステップＳ３４）。また、新たな基本画像として選択された画像に対しても圧縮処理が行われる（ステップＳ３５）。
【００４６】
次に、圧縮された新たな基本画像と、圧縮された差分画像とが１つのファイルに結合され（ステップＳ３６）、結合された画像ファイルが記録部１７に保存される（ステップＳ３７）。
【００４７】
図７に戻り、ステップＳ２８において基本画像を入れ替えない場合には（ステップＳ２８；ＮＯ）、ステップＳ２４に戻る。
以上で、画像表示処理が終了する。
【００４８】
以上説明したように、デジタルカメラ１０によれば、シャッターボタンからの１回の撮影指示に従って、複数の撮影条件に基づいて撮影を行い、撮影された複数の画像データを記録するので、撮影後に最適な画像を選択することができる。
【００４９】
また、１回の撮影指示に従って撮影された複数の画像データを１つのファイルに記録するので、ファイル管理を容易にすることができる。
【００５０】
また、複数の画像データのうち予め定められた基本画像以外の画像については、基本画像との差分を記録するので、基本画像以外の画像をそのまま記録する場合と比較してファイルサイズを小さくすることができる。
【００５１】
なお、移動物体を撮影する場合には、シャッタースピードを速くし、連写の時間間隔を短くすることにより、撮影される複数の画像のズレを防ぐことが望ましい。
【００５２】
また、上記実施の形態における記述は、本発明に係る撮影装置の例であり、これに限定されるものではない。撮影装置を構成する各部の細部構成及び細部動作に関しても本発明の趣旨を逸脱することのない範囲で適宜変更可能である。
【００５３】
例えば、上記実施の形態では、撮影装置としてデジタルカメラを例に説明したが、撮影装置を備えたＰＤＡ（Personal Digital Assistant）、ウェアラブルパソコン、携帯電話機等に本発明を適用することとしてもよい。
【００５４】
また、撮影条件は、シャッター速度や絞りの他、露出、撮影モード（人物、風景、夜景等）等、撮影時にのみ設定可能な条件であれば何であってもよい。
【図面の簡単な説明】
【００５５】
【図１】本発明の実施の形態におけるデジタルカメラ１０の機能的構成を示すブロック図である。
【図２】撮像部１６の詳細構成を示す図である。
【図３】撮影条件テーブル１７２の構成を示す図である。
【図４】撮影処理を示すフローチャートである。
【図５】基本条件に基づいて撮影された基本画像（画像Ｂ）、撮影条件テーブル１７２の条件１、条件２を考慮して撮影された画像（画像Ａ，画像Ｃ）を示す図である。
【図６】基本画像と差分画像とが結合された画像ファイルのファイル形式を示す図である。
【図７】画像表示処理を示すフローチャートである。
【図８】画像入替処理を示すフローチャートである。
【符号の説明】
【００５６】
１０  デジタルカメラ
１１  ＣＰＵ
１２  入力部
１３  ＲＡＭ
１４  伝送制御部
１５  表示部
１６  撮像部
１７  記録部
１８  記録媒体駆動部
１９  バス
２１  撮像レンズ
２２  絞り機構
２３  ＣＣＤ
２４  光学系駆動部
２５  センサ部
２６  駆動回路
２７  アナログ処理回路
２８  Ａ／Ｄ変換回路
２９  バッファレジスタ
３０  信号処理回路
３１  圧縮伸張回路
【図１】
2006238311.tif 000003
【図２】
2006238311.tif 000004
【図３】
2006238311.tif 000005
【図４】
2006238311.tif 000006
【図５】
2006238311.tif 000007
【図６】
2006238311.tif 000008
【図７】
2006238311.tif 000009
【図８】
2006238311.tif 000010